(57)【要約】【課題】汎用の吊上げ治具を用いつつ、吊上げ治具の付け外し操作が簡単で吊上げ作業の安全性に優れ、低コストで治具取付部を構成できるシャッタ装置を提供する。【解決手段】一対のガイドレールと、吊上げ治具６を取り付ける治具取付部５をもつシャッタケースと、シャッタカーテンとを備えたシャッタ装置であって、吊上げ治具６は、吊上げ部６２と抜け止め部（ナット部材６７）との間にくびれ部（首下部６４、雄ねじ部６５）を有しており、治具取付部５は、ケース板材に形成されて吊上げ治具６のくびれ部（６４、６５）が挿入され、吊上げ部６２を上にした吊上げ姿勢の吊上げ治具６の抜け止め部（６７）を係止して吊上げ治具６の取り外しを規制し、吊上げ姿勢でない吊上げ治具６の抜け止め部（６７）を係止せずに吊上げ治具６の取り付け及び取り外しを許容する抜け止め溝（第１スロット５５）を含む。【選択図】図６
2014145168.tif 000002
【特許請求の範囲】
【請求項１】
離隔平行して立設された一対のガイドレールと、
前記一対のガイドレールの上端側に配設され、ケース板材により内部に収容室が区画形成され、吊上げ治具を取り付ける治具取付部をもつシャッタケースと、
前記収容室内に収容されて開状態となり前記一対のガイドレールに案内されつつ延出されて閉状態となるシャッタカーテンと、を備えたシャッタ装置であって、
前記吊上げ治具は、吊上げ部と抜け止め部との間にくびれ部を有しており、
前記シャッタケースの前記治具取付部は、前記ケース板材に形成されて前記吊上げ治具の前記くびれ部が挿入され、前記吊上げ部を上にした吊上げ姿勢の吊上げ治具の前記抜け止め部を係止して前記吊上げ治具の取り外しを規制し、前記吊上げ姿勢でない吊上げ治具の前記抜け止め部を係止せずに前記吊上げ治具の取り付け及び取り外しを許容する抜け止め溝を含むシャッタ装置。
【請求項２】
前記シャッタケースは、前記ケース板材の一部であって前記抜け止め溝をもつサイドブラケットを両側の側面にそれぞれ有する請求項１に記載のシャッタ装置。
【請求項３】
前記吊上げ治具は、前記吊上げ部、前記吊上げ部に結合され前記吊上げ部よりも小径で前記くびれ部となる軸部、及び前記軸部の周りに保持されて軸線方向に移動可能な抜け止め部からなり、
前記抜け止め溝は、前記吊上げ部を上にしつつ前記抜け止め部が前記軸部の軸線方向に移動して前記吊上げ部に接近した吊上げ姿勢の吊上げ治具の取り外しを規制し、前記抜け止め部が前記吊上げ部に接近する以前の吊上げ治具の取り付け及び取り外しを許容する請求項１または２に記載のシャッタ装置。
【請求項４】
前記吊上げ治具の前記軸部は外周に雄ねじを有し、前記抜け止め部は内周に雌ねじを有して前記軸部の前記雄ねじに螺合し前記吊上げ部に向けて螺進可能なナット部材であり、
前記抜け止め溝は、
前記ケース板材の水平部分及び前記水平部分の外縁から下降する垂直部分に連なり前記吊上げ治具の前記吊上げ部及び前記ナット部材よりも狭くかつ前記軸部の外径よりも広い溝幅の第１スロット、及び、前記第１スロットの垂直部分の下端よりも下方に配置されて前記ナット部材よりも広い溝幅の第２スロットまたは開空間で形成され、
前記ナット部材が螺進する以前の吊上げ治具の前記軸部を前記第２スロットまたは前記開空間から前記第１スロットの水平部分まで挿入操作する取り付け及び逆方向に操作する取り外しを許容し、かつ、前記第１スロットの水平部分で前記ナット部材が螺進して前記吊上げ部との間に前記ケース板材を挟持した吊上げ姿勢の吊上げ治具の取り外しを規制する請求項３に記載のシャッタ装置。
【請求項５】
前記第１スロットの垂直部分の長さは、前記吊上げ治具の前記軸部の長さよりも大きい請求項４に記載のシャッタ装置。
【請求項６】
前記吊上げ治具の前記軸部は、前記吊上げ部との間に前記雄ねじよりも小径の首下部を有し、前記抜け止め溝の前記第１スロットの前記溝幅は、前記雄ねじの外径よりも狭くかつ前記首下部の外径よりも広い請求項４または５に記載のシャッタ装置。
【請求項７】
前記抜け止め溝の前記第１スロットの垂直部分を形成する前記ケース板材の両縁は、前記第１スロットの水平部分まで挿入された吊上げ治具の前記ナット部材の回動を抑止する回動抑止部を兼ねており、前記吊上げ部を回動操作することで前記ナット部材が螺進する請求項４〜６のいずれか一項に記載のシャッタ装置。
【発明の詳細な説明】
【技術分野】
【０００１】
本発明はシャッタ装置に関し、より詳細には、シャッタカーテンを収容するシャッタケースを吊り上げるための治具取付部の構造に関する。
【背景技術】
【０００２】
シャッタケースの収容室内に筒状の巻取体を回転可能に支承し、モータにより巻取体を回転駆動してシャッタカーテンの巻き下ろし及び巻き上げを行うシャッタ装置が従来から知られている。この種のシャッタ装置では、設置箇所でシャッタケースを吊り上げて取り付けの施工作業を行うことが一般的になっている。吊上げ治具には汎用のアイボルト（吊りボルト）や専用治具を用い、シャッタケースには吊上げ治具を取り付けるための治具取付部を設ける。吊上げ治具にアイボルトを用いる場合に、例えば、アイボルトの雄ねじが螺合するナット部材をシャッタケースに溶接して治具取付部とする。このような吊上げ治具及び治具取付部は、付け外し操作が容易で、かつ吊上げ作業の安全性に優れることが重要である。シャッタケースの吊上げ治具及び治具取付部の構造に関する技術例が特許文献１及び特許文献２に開示されている。
【０００３】
特許文献１のシャッター専用吊り上げ治具は、長尺ボックス状のシャッター本体（シャッタケース）の側面に装着する治具本体の構造を開示している。治具本体は、吊り上げ用フックが係止される係止部と、シャッター本体の底面の第１開口部へ係止される第１係止爪と、シャッター本体の上面の第２開口部へ係止される第２係止爪と、を有している。これにより、組付工数を削減でき、また複数のシャッター本体を並列設置する際に治具が障害とならない、と記載されている。
【０００４】
また、特許文献２の吊り金具は、係止手段とスライド制御手段とを備え、被吊り上げ部材に重ね合わせてスライドさせロック状態にして使用するようになっている。これにより、雌ネジ部（ナット部材）を予め被吊り上げ部材（シャッタケース）へ取り付ける手間と部品の無駄を省くことができ、また、施工の前後に吊りボルトの付け外しの面倒な作業が不要で施工性に優れる、と記載されている。
【先行技術文献】
【特許文献】
【０００５】
【特許文献１】特開２０００−３０３７５２号公報
【特許文献２】特開２００４−２７０４３８号公報
【発明の概要】
【発明が解決しようとする課題】
【０００６】
ところで、特許文献１の吊り上げ治具は、付け外し操作が比較的容易な点は好ましいが、シャッター本体の側面に匹敵する大形となってしまう。さらに、形状も複雑なものになってしまい、吊り上げ治具のコストが増大する。特許文献２の吊り金具は、実施例に開示された例では箱形状で大形である。さらに吊り金具の上部に吊りボルトが必要で、吊り上げるための構造が二重化されて複雑になっている。また、両方とも特定形状の被吊り上げ部材のみを対象とする専用治具であるので、使用しないときの保管が煩わしい。さらに、シャッタ装置の施工作業が複数の場所で重複したときに、専用治具の限られた手持ち数では対応が難しくなり不便である。
【０００７】
本発明は上記背景技術の問題点に鑑みてなされたものであり、汎用の吊上げ治具を用いつつ、吊上げ治具の付け外し操作が簡単で吊上げ作業の安全性に優れ、低コストで治具取付部を構成できるシャッタ装置を提供することを解決すべき課題とする。
【課題を解決するための手段】
【０００８】
本発明のシャッタ装置は、離隔平行して立設された一対のガイドレールと、前記一対のガイドレールの上端側に配設され、ケース板材により内部に収容室が区画形成され、吊上げ治具を取り付ける治具取付部をもつシャッタケースと、前記収容室内に収容されて開状態となり前記一対のガイドレールに案内されつつ延出されて閉状態となるシャッタカーテンと、を備えたシャッタ装置であって、前記吊上げ治具は、吊上げ部と抜け止め部との間にくびれ部を有しており、前記シャッタケースの前記治具取付部は、前記ケース板材に形成されて前記吊上げ治具の前記くびれ部が挿入され、前記吊上げ部を上にした吊上げ姿勢の吊上げ治具の前記抜け止め部を係止して前記吊上げ治具の取り外しを規制し、前記吊上げ姿勢でない吊上げ治具の前記抜け止め部を係止せずに前記吊上げ治具の取り付け及び取り外しを許容する抜け止め溝を含む。
【０００９】
また、前記シャッタケースは、前記ケース板材の一部であって前記抜け止め溝をもつサイドブラケットを両側の側面にそれぞれ有していてもよい。
【００１０】
さらに、前記吊上げ治具は、前記吊上げ部、前記吊上げ部に結合され前記吊上げ部よりも小径で前記くびれ部となる軸部、及び前記軸部の周りに保持されて軸線方向に移動可能な抜け止め部からなり、前記抜け止め溝は、前記吊上げ部を上にしつつ前記抜け止め部が前記軸部の軸線方向に移動して前記吊上げ部に接近した吊上げ姿勢の吊上げ治具の取り外しを規制し、前記抜け止め部が前記吊上げ部に接近する以前の吊上げ治具の取り付け及び取り外しを許容するようにしてもよい。
【００１１】
さらに、前記吊上げ治具の前記軸部は外周に雄ねじを有し、前記抜け止め部は内周に雌ねじを有して前記軸部の前記雄ねじに螺合し前記吊上げ部に向けて螺進可能なナット部材であり、前記抜け止め溝は、前記ケース板材の水平部分及び前記水平部分の外縁から下降する垂直部分に連なり前記吊上げ治具の前記吊上げ部及び前記ナット部材よりも狭くかつ前記軸部の外径よりも広い溝幅の第１スロット、及び、前記第１スロットの垂直部分の下端よりも下方に配置されて前記ナット部材よりも広い溝幅の第２スロットまたは開空間で形成され、前記ナット部材が螺進する以前の吊上げ治具の前記軸部を前記第２スロットまたは前記開空間から前記第１スロットの水平部分まで挿入操作する取り付け及び逆方向に操作する取り外しを許容し、かつ、前記第１スロットの水平部分で前記ナット部材が螺進して前記吊上げ部との間に前記ケース板材を挟持した吊上げ姿勢の吊上げ治具の取り外しを規制することが好ましい。
【００１２】
さらに、前記第１スロットの垂直部分の長さは、前記吊上げ治具の前記軸部の長さよりも大きいことでもよい。
【００１３】
また、前記吊上げ治具の前記軸部は、前記吊上げ部との間に前記雄ねじよりも小径の首下部を有し、前記抜け止め溝の前記第１スロットの前記溝幅は、前記雄ねじの外径よりも狭くかつ前記首下部の外径よりも広いことでもよい。
【００１４】
さらに、前記抜け止め溝の前記第１スロットの垂直部分を形成する前記ケース板材の両縁は、前記第１スロットの水平部分まで挿入された吊上げ治具の前記ナット部材の回動を抑止する回動抑止部を兼ねており、前記吊上げ部を回動操作することで前記ナット部材が螺進することが好ましい。
【発明の効果】
【００１５】
本発明のシャッタ装置では、吊上げ治具はくびれ部を有しており、シャッタケースの治具取付部はくびれ部が挿入される抜け止め溝を含んでいる。そして、抜け止め溝は、吊上げ姿勢の吊上げ治具の抜け止め部を係止して吊上げ治具の取り外しを規制し、吊上げ姿勢でない吊上げ治具の抜け止め部を係止せずに吊上げ治具の取り付け及び取り外しを許容する。したがって、吊上げ治具の姿勢を変更するだけで取り付け操作及び取り外し操作を行え、換言すれば、吊上げ治具の付け外し操作を簡単に行うことができる。さらに、抜け止め溝は、ケース板材に簡単な加工を施すだけで形成でき、別の部品は不要であるので、低コストで治具取付部を構成できる。
【００１６】
また、シャッタケースがサイドブラケットを両側の側面にそれぞれ有する態様では、サイドブラケットを吊り上げることでシャッタケース全体の吊上げ作業を行える。このとき、吊上げ治具のサイドブラケットへの付け外し操作を簡単に行うことができる。
【００１７】
さらに、吊上げ治具が軸部の軸線方向に移動可能な抜け止め部を有する態様では、軸部上で抜け止め部の位置を移動させることで吊上げ治具の付け外しの可否を切り替えられる。このため、抜け止め部が吊上げ部に接近する以前の状態で吊上げ治具を取り付け、その後に抜け止め部を吊上げ部に接近させてケース板材を挟持させることで外れることのない吊上げ姿勢にすることができる。したがって、吊上げ治具が誤って外れるおそれがなく、吊上げ作業の安全性に優れる。
【００１８】
さらに、吊上げ治具の軸部が雄ねじを有し、抜け止め部がナット部材であり、抜け止め溝が第１スロット、及び、第２スロットまたは開空間で形成された態様では、吊上げ治具に汎用のアイボルトとナット部材とを組み合わせて使用できる。このため、専用治具と異なって、吊上げ治具の保管の煩わしさや、限られた手持ち数の不便さが生じない。
【００１９】
さらに、第１スロットの垂直部分の長さが吊上げ治具の軸部の長さよりも大きい態様では、始めに吊上げ治具を寝かせた姿勢にして下方から第１スロットの垂直部分に差し込み、次いで第１スロット内を奥まで挿入操作しながら起立した吊上げ姿勢に姿勢変換操作する。つまり、吊上げ治具は起立した状態のままでは付け外し操作ができず、したがって誤って外れるおそれがなく、吊上げ作業の安全性が一層向上する。
【００２０】
また、吊上げ治具の軸部が首下部を有し、抜け止め溝の第１スロットの溝幅が雄ねじの外径よりも狭くかつ首下部の外径よりも広い態様では、吊上げ治具の首下部のみが第１スロットへの進入を許される。このため、第１スロットの垂直部分の長さが短くとも、吊上げ治具は起立した状態のままでは付け外し操作ができず、したがって誤って外れるおそれがなく、吊上げ作業の安全性が一層向上する。
【００２１】
さらに、第１スロットの垂直部分を形成するケース板材の両縁が回動抑止部を兼ねる態様では、ナット部材の回転駆動に工具を必要とせず、吊上げ部を手で回動操作することで吊上げ治具を吊上げ姿勢に保持できる。したがって、吊上げ治具の取り付け操作をきわめて簡単に行うことができる。
【図面の簡単な説明】
【００２２】
【図１】本発明の第１実施形態のシャッタ装置の全体構成を示す正面図である。
【図２】シャッタケースの構造を示す斜視図である。
【図３】サイドブラケットの構造を示す斜視図である。
【図４】サイドブラケットに設けられた治具取付部を示す拡大斜視図である。
【図５】吊上げ治具を例示説明する図であり、（Ａ）は斜視図、（Ｂ）は正面図である。
【図６】第１実施形態で吊上げ部材を治具取付部へ取り付ける操作方法を説明する斜視図である。
【図７】治具取付部の回動抑止部の作用を説明する図であり、（Ａ）は側面図、（Ｂ）及び（Ｃ）は（Ａ）の矢印Ｙ方向から見た平面図である。
【図８】第２実施形態の治具取付部を示す拡大斜視図である。
【図９】第３実施形態の治具取付部を示す拡大斜視図である。
【発明を実施するための形態】
【００２３】
本発明を実施するための第１実施形態のシャッタ装置１について、図１〜図７を参考にして説明する。図１は、本発明の第１実施形態のシャッタ装置１の全体構成を示す正面図である。シャッタ装置１は、建築物の出入口などを開閉する目的で設けられる。シャッタ装置１は、一対のガイドレール９１、シャッタケース９２、及びシャッタカーテン９６などで構成されている。図1には、シャッタカーテン９６の延出された閉状態が例示されている。
【００２４】
一対のガイドレール９１は、出入口などの開口の幅方向の左右両側に離隔平行して立設されている。一対のガイドレール９１の上端に架け渡されるように、箱形のシャッタケース９２が配設される。シャッタケース９２の内部には、シャッタカーテン９６を収容するための収容室９３が形成され、かつシャッタカーテン９６を巻き取る巻取体９４が配置されている。一対のガイドレール９１の下端を連結するように、下枠９５が設けられている。以上の構成により、矩形のシャッタ開口が形成される。
【００２５】
シャッタカーテン９６は、収容室９３から延出可能であり、一対のガイドレール９１に案内されてシャッタ開口を開閉できるように配設されている。シャッタカーテン９６は、横に長い矩形帯状のスラット９７が複数個上下に連結されて構成されている。シャッタカーテン９６は、下端のスラット９７Ａの下側に座板９８を有している。座板９８は、シャッタカーテン９６の下枠９５への着地を安定化する。シャッタカーテン９６の上端のスラット９７Ｂは、巻取体９４に係止されている。個々のスラット９７は、開閉可能とされてブラインド機能が付与されている。
【００２６】
シャッタケース９２は、左右一対のサイドブラケット４１、４２を含むケース本体２、及び左右一対のサイドキャップ３１、３２で構成されている。ケース本体２が設置箇所に設置施工された後で、サイドキャップ３１、３２はサイドブラケット４１、４２に取り付けられる。図２は、シャッタケース９２の構造を示す斜視図であり、巻取体９４などの内部の部材は図示省略されている。図２で、左側のサイドキャップ３１は、左側のサイドブラケット４１から取り外されており、右側のサイドキャップ３２は、図２には見えない右側のサイドブラケット４２に固定取り付けされている。また、図３は、サイドブラケット４１の構造を示す斜視図である。
【００２７】
図１及び図２に示されるように、ケース本体２は、左右一対のサイドブラケット４１、４２及びケースカバー２１で構成されている。サイドブラケット４１、４２は、図３に示されるように、巻取体９４を支承する支承部や電動駆動装置９９を固定する取り付け座、後で詳述する治具取付部５などが設けられた略板状の部材である。サイドブラケット４１、４２は、例えば、プレス機によりケース板材に切り込み加工、打ち抜き加工、及び曲げ加工などが施されて形成される。サイドブラケット４１、４２は、図１の紙面奥側の壁面などの躯体に直接的に固定取り付けされ、あるいは台座部材を介して間接的に固定取り付けされる。左右のサイドブラケット４１、４２は、それぞれ左右のガイドレール９１の上側に配置され、互いに離隔し平行している。
【００２８】
左右のサイドブラケット４１、４２は、互いに対称形状であり、以降では左側のサイドブラケット４１を例にして詳述する。図３に示されるように、サイドブラケット４１の上縁及び後縁は、シャッタ装置１の中心方向に向かい内向きに折り曲げられて上縁鍔部４１１及び後縁鍔部４１３が形成されている（図３示）。上縁鍔部４１１の２箇所には、矩形状の穴で形成された支持部４１４、４１５が設けられている。さらに、上縁鍔部４１１の中央付近には、治具取付部５が設けられている。また、サイドブラケット４１の下端の前側寄りに、サイドキャップ４１に向かって突出した固定部４１７が設けられている。
【００２９】
ケースカバー２１は、シャッタケース９２の天板及び前板に相当する。ケースカバー２１は、図１及び図２に示されるように、シャッタカーテン９６の幅寸法よりも広い矩形の薄板が水平方向から垂直方向へと折り曲げて形成されている。ケースカバー２１の幅方向の両縁は、左右のサイドブラケット４１、４２の上縁から前縁にかけて取り付けられている。ケースカバー２１及び左右一対のサイドブラケット４１、４２により、前述した収容室９３が区画形成され、シャッタカーテン９６が延出可能に保持される。
【００３０】
巻取体９４は、収容室９３内に配設され、左右のサイドブラケット４１、４２により軸線ＡＸ周りに回転可能に支承されている。巻取体９４は、外周面にシャッタカーテン９６を巻き取ることができるようになっている。
【００３１】
電動駆動装置９９は、巻取体９４の筒状の内部空間に配置されており、図１の左側の一端がサイドブラケット４１に固定されている。電動駆動装置９９は、正転及び反転の切り替えが可能な駆動モータ９Ａを有している。駆動モータ９Ａの出力軸に設けられた回転伝達部材９Ｂは、巻取体９４の内周を回転駆動する。駆動モータ９Ａが正転すると、巻取体９４が正転駆動され、シャッタカーテン９６が収容室９３から延出される。また、駆動モータ９Ａが反転すると、巻取体９４が反転駆動され、シャッタカーテン９６は巻き上げられて収容室９３に収容される。図１及び図２には省略されているが、電動駆動装置９９に電源を供給する電源線やその他の制御線は、サイドブラケット４１の外側の空間を利用して配索されている。
【００３２】
左右一対のサイドキャップ３１、３２は、略矩形状の蓋部材である。左右のサイドキャップ３１、３２は、互いに対称形状であり、以降では左側のサイドキャップ３１を例にして詳述する。サイドキャップ３１の上縁、前縁、及び後縁は、それぞれ折り曲げられて上縁鍔部３１１、前縁鍔部３１２、及び後縁鍔部３１３が形成されている（図２示）。サイドキャップ３１は、矩形の３辺に鍔部３１１、３１２、３１３を有することでサイドブラケット４１を覆い、電動駆動装置９９の端面や電源線及び制御線の配索箇所を保護する。さらに、サイドキャップ３１は、外見的な美観を向上する役割も担っている。
【００３３】
サイドキャップ３１の上縁鍔部３１１の２箇所には、下向きに折り曲げられて形成された爪状の被支持部３１４、３１５が設けられている。サイドキャップ３１の下部の前側寄りの位置でサイドブラケット４１の固定部４１７に対向する内面には、被固定部３１７が設けられている。図２に破線矢印Ｒ１、Ｒ２で示されるように、被支持部３１４、３１５は、サイドブラケット４１、４２の上縁鍔部４１１の支持部４１４、４１５に係入されるようになっている。これにより、サイドキャップ３１は、サイドブラケット４１から吊り下げられて支持され、取付位置まで揺動する。さらに、図２に破線矢印Ｒ３で示されるように、被固定部３１７が固定部４１７に当接して固定され、サイドキャップ３１はサイドブラケット４１に取り付けられる。
【００３４】
次に、サイドブラケット４１に設けられた治具取付部５、及び、治具取付部５に付け外しされる吊上げ治具６について詳述する。図４は、サイドブラケット４１に設けられた治具取付部５を示す拡大斜視図である。また、図５は吊上げ治具６を例示説明する図であり、（Ａ）は斜視図、（Ｂ）は正面図である。
【００３５】
治具取付部５は、図３に示されるように、サイドブラケット４１の上縁鍔部４１１の中央付近に配設されている。詳述すると、ケース板材の上縁鍔部４１１の直下の中央部分には切り込み加工が施される。切り込み形状は、段差を有する二段階状の２側辺と、２側辺の下端同士をつなぐ下辺とからなる。ケース板材の切り込まれた部分は、上縁鍔部４１１に沿う上辺で曲げ加工される。これにより、上縁鍔部４１１の直下の中央部分に、溝幅Ｗ２及び溝幅Ｗ３の二段差を有する第２スロット５６が形成される。
【００３６】
また、上縁鍔部４１１に連結された状態で曲げ加工されたケース板材の部分は、抜け止め係止部５１になる。抜け止め係止部５１は、上縁鍔部４１１とは逆方向の外向き水平に延在する板材水平部分５２と、板材水平部分５２の外縁から下降する板材垂直部分５３とからなる。
【００３７】
板材水平部分５２及び上縁鍔部４１１の両領域にまたがるように、直径Ｄ１の抜け止め穴５４が穿設されている。さらに、板材水平部分５２から板材垂直部分５３にかけて折れ曲がりながら延在するように、溝幅Ｗ１の第１スロット５５が形成されている。第１スロット５５の水平部分は抜け止め穴５４に連通し、第１スロット５５の垂直部分は下方に開口している。第１スロット５５の垂直部分を形成する板材垂直部分５３の両縁５３１、５３２は、後述する回動抑止部５８を兼ねている。第１スロット５５の溝幅Ｗ１は一定であり、抜け止め穴５４の直径Ｄ１よりも小さい。第１スロット５５の板材水平部分５２の長さＬＨであり、板材垂直部部分５３の長さＬＶである。
【００３８】
治具取付部５は、抜け止め穴５４、本発明の抜け止め溝に相当する第１スロット５５、及び第２スロット５６からなる。なお、抜け止め穴５４を省略して、その分だけ第１スロット５５を延長してもよい。治具取付部５は十分な機械的強度を有しており、巻取体９４や電動駆動装置９９、シャッタカーテン９６などを含んだケース本体２の全荷重を左右２箇所で吊り上げられるようになっている。換言すると、十分な機械的強度を確保するために、サイドブラケット４１を構成するケース板材の材質や板厚が適正に選定され、上縁鍔部４１１や抜け止め係止部５１の寸法諸元が適正に設計されている。
【００３９】
吊上げ治具６は、図５に示されるように、アイボルト６１及びナット部材６７を組み合わせて構成されている。アイボルト６１は汎用の吊上げ治具であり、例えば、日本工業規格（ＪＩＳ）の「Ｂ１１６８  アイボルト」に規定される標準品や、規格外の形状を有する非標準品を適宜採用できる。アイボルト６１は、吊上げ部６２及び軸部６３で形成されている。吊上げ部６２は、外径Ｄ５のリング形状である。吊上げ部６２は、吊上げ装置の吊上げ用フックや、吊上げ用ロープなどに係止されて吊り上げられる。軸部６３は、吊上げ部６２に結合した首下部６４と、首下部６４に連続して外周に雄ねじの刻設された雄ねじ部６５とからなる。首下部６４の外径Ｄ６は雄ねじ部６５の外径Ｄ７よりも小さく、雄ねじ部６５の外径Ｄ７は吊上げ部６２の外径Ｄ５よりも小さい（Ｄ６＜Ｄ７＜Ｄ５）。軸部６３の長さＬ５である。
【００４０】
ナット部材６７は、内周に雌ねじが刻設され、外周が六角形状の汎用品である。ナット部材６７の最も大きな部分の外径Ｄ８である。ナット部材６７は、アイボルト６１の雄ねじ部６５に螺合し、回転駆動されると吊上げ部６２に向けて螺進する。ナット部材６７は、本発明の抜け止め部に相当してケース板材の下側に係止され、吊上げ治具６によるケース本体２の吊上げ作業を可能にする。ナット部材６７は、アイボルト６１の雄ねじ部６５から脱落しないように保持されていることが好ましい。また、ナット部材６７が雄ねじ部６５に着脱可能とされていてもよいが、本発明ではナット部材６７を離脱させずに用いる。雄ねじ部６５のナット部材６７が螺合していない範囲及び首下部６４が、本発明のくびれ部に相当する。
【００４１】
本第１実施形態において、治具取付部５の抜け止め穴５４の直径Ｄ１は、吊上げ治具６の吊上げ部６２の外径Ｄ５よりも小さく、かつ雄ねじ部６５の外径Ｄ７よりも大きい（Ｄ５＞Ｄ１＞Ｄ７）。また、第１スロット５５の溝幅Ｗ１は、雄ねじ部６５の外径Ｄ７よりも狭く、かつ首下部６４の外径Ｄ６よりも広い（Ｄ７＞Ｗ１＞Ｄ６）。さらに、第２スロット５６の２種類の溝幅Ｗ２、Ｗ３は、ともに、ナット部材６７の外径Ｄ８よりも広い（Ｗ２＞Ｄ８、Ｗ３＞Ｄ８）。また、第１スロット５５の垂直部分の長さＬＶは、軸部６３の長さＬ５よりも小さい（ＬＶ＜Ｌ５）。
【００４２】
次に、上述のように構成された第１実施形態のシャッタ装置１の操作方法について説明する。まず、吊上げ治具６を治具取付部５へ取り付ける取り付け操作方法について説明する。図６は、第１実施形態で吊上げ部材６を治具取付部５へ取り付ける操作方法を説明する斜視図である。上述した各部寸法の大小関係から分かるように、吊上げ治具６の首下部６４のみが第１スロットへの進入を許される。このため、第１スロット５５の垂直部分の長さＬＶが軸部６３の長さＬ５より短くとも、吊上げ治具６を起立した状態のままで第１スロット内に挿入することはできない。
【００４３】
したがって、取り付け操作の手順１では、図６に破線外形で示されるように、吊上げ治具６を寝かせた姿勢で保持する。そして、破線矢印Ｒ４に示されるように、吊上げ治具６を第２スロット５６に向けて水平に差し込み、吊上げ治具６の首下部６４を第１スロット５５の垂直部分の真下に配置する。次に手順２で、破線矢印Ｒ５に示されるように、首下部６４を第１スロット５５の垂直部分に挿入し、吊上げ治具６の全体を上方に挿入操作する。そして、首下部６４が第１スロット５５の折れ曲がり部分まで進入すると、吊上げ治具６を回動して起立させながら姿勢変換操作する。吊上げ治具６が完全に起立すると、概ね抜け止め穴５４まで進入する。次に手順３で、ナット部材６７を螺進させ、吊上げ部６２との間に板材水平部分５２及び上縁鍔部４１１を挟持する。これにより、吊上げ治具６が最終的な吊上げ姿勢に保持され、ケース本体２の吊上げ作業を行うことができる。
【００４４】
手順３でナット部材６７を螺進させるときには、図７に示されるように、吊上げ治具６の吊上げ部６２を回転駆動する。図７は、治具取付部５の回動抑止部５８の作用を説明する図であり、（Ａ）は側面図、（Ｂ）及び（Ｃ）は（Ａ）の矢印Ｙ方向から見た平面図である。図７の（Ａ）に示されるように、手順３では、吊上げ治具６が完全に起立した状態で矢印Ｒ６に示されるように吊上げ部６２を回転駆動する。このとき、ナット部材６７を板材垂直部分６３に押し付けながら（図中の右方向に押し付けながら）回転駆動すると好ましい。
【００４５】
吊上げ部６２が回転駆動されたとき、ナット部材６７は板材垂直部分５３の両縁５３１、５３２に押し当てられる。第１のパターンとして、図７の（Ｂ）に示されるように、ナット部材６７の六角形状の一つの面６７１が両縁５３１、５３２にまたがるように押し当てられる場合がある。また、第２のパターンとして、図７の（Ｃ）に示されるように、ナット部材６７の六角形状の隣接する二つの面６７２、６７３がそれぞれの縁５３１、５３２に押し当てられる場合がある。いずれの場合もナット部材６７の回転が抑止される。この作用が両縁５３１、５３２の兼ねる回動抑止部５８の役割である。
【００４６】
したがって、吊上げ部６１を正方向または逆方向に回転駆動したときに、ナット部材６７は共回りせずに螺進または螺退する。これにより、ナット部材６７とアイボルト６１との螺合位置が変化し、矢印Ｒ７に示されるようにアイボルト６１が移動してケース板材を挟持及び開放できる。
【００４７】
また、吊上げ治具６を治具取付部５から取り外す取り外し操作では、取り付け操作の逆の手順を踏めばよい。以上説明したように、本第１実施形態では、スパナなどの工具を用いることなく、吊上げ治具６を治具取付部５へ付け外しできる。
【００４８】
なお、吊上げ治具６の取り付け操作で、上述した手順３を省略することもできる。この場合に、吊上げ治具６はケース板材を挟持しておらず、第１スロット５５の水平部分で多少移動したり多少回動したりするかもしれない。しかしながら、吊上げ部６２に吊上げ用フックや吊上げ用ロープなどを一旦係止してしまえば、もはや吊上げ作業の途中で吊上げ治具６が誤って外れるおそれは生じない。したがって、手順３を省略しても、安全性を確保しつつケース本体２の吊上げ作業を行うことができる。
【００４９】
第１実施形態のシャッタ装置１では、吊上げ治具６の首下部６４のみが第１スロット５５への進入を許されている。このため、取り付け操作の手順１で吊上げ治具６を寝かせた姿勢にして下方から第１スロット５５の垂直部分に差し込み、手順２で第１スロット５５内を奥に挿入操作しながら起立した吊上げ姿勢に姿勢変換操作する。そして、手順３を省略して、吊上げ治具６の姿勢を変更する簡単な操作だけで取り付け及び取り外しを行える。かつ、吊上げ作業の途中で吊上げ治具６が誤って外れるおそれは生じないので、安全性を確保できる。
【００５０】
さらに、手順３を実施すれば、吊上げ治具６はケース板材を挟持するので、吊上げ作業の安全性に優れる。ここで、板材垂直部分５３の両縁５３１、５３２が回動抑止部５８を兼ねるので、吊上げ部６２を手で回動操作してナット部材６７を螺進させ、吊上げ治具６を最終的な吊上げ姿勢にすることができる。したがって、工具を用いることなく、吊上げ治具６の取り付け操作をきわめて簡単に行うことができる。
【００５１】
また、治具取付部５となる抜け止め穴５４、第１スロット５５、及び第２スロット５６は、例えば、プレス機によりケース板材に各種加工が施されて形成される。したがって、別の部品は不要であり、低コストで治具取付部５を構成できる。さらに、吊上げ治具６は汎用のアイボルト６１及びナット部材６７を組み合わせて構成できるので、専用治具と異なり、吊上げ治具６の保管の煩わしさや限られた手持ち数の不便さが生じない。
【００５２】
次に、治具取付部５の構造が異なる別の実施形態について説明する。図８は、第２実施形態の治具取付部５Ａを示す拡大斜視図である。また、図９は、第３実施形態の治具取付部５Ｂを示す拡大斜視図である。第２及び第３実施形態において、シャッタ装置１の全体構成及び使用する吊上げ治具６は第１実施形態と同じであり、サイドブラケット４１に設けられた治具取付部５Ａ、５Ｂの構造のみが異なっている。
【００５３】
第２実施形態の治具取付部５Ａは、図８に示されるように、本発明の抜け止め溝に相当する第１スロット５５Ａのみで形成されている。詳述すると、サイドブラケット４１を形成するケース板材の上縁鍔部４１１Ａの直下の中央部分に切り込み加工及び曲げ加工が施され、抜け止め係止部５１Ａが設けられる。抜け止め係止部５１Ａは、上縁鍔部４１１Ａとは逆方向の外向き水平に延在する板材水平部分５２Ａと、板材水平部分５２Ａの外縁から下降する板材垂直部分５３Ａとからなる。
【００５４】
板材水平部分５２Ａから板材垂直部分５３Ａにかけて折れ曲がりながら延在するように、溝幅Ｗ１Ａの第１スロット５５Ａが形成されている。第１スロット５５Ａの垂直部分は、下方の開空間Ｓに向かって開口している。第１スロット５５Ａの垂直部分を形成する板材垂直部分５３Ａの両縁５３３、５３４は、回動抑止部５８Ａを兼ねている。第１スロット５５Ａの溝幅Ｗ１Ａは一定であり、吊上げ治具６のナット部材５７の外径Ｄ８よりも狭く、雄ねじ部６５の外径Ｄ７よりも広い（Ｄ８＞Ｗ１Ａ＞Ｄ７）。また、第１スロット５５Ａの板材垂直部部分５３Ａの長さＬＶＡは、軸部６３の長さＬ５よりも大きい（ＬＶＡ＞Ｌ５）。
【００５５】
上述した各部寸法の大小関係から分かるように、第２実施形態では、吊上げ治具６の雄ねじ部６５は、外径Ｄ７の寸法上からは第１スロット５５Ａを通過し得る。しかしながら、吊上げ治具６を起立した姿勢のままで第１スロット５５Ａに挿入しようとしても、軸部６３の長さＬ５が不足するため、軸部６３に螺合しているナット部材６７が板材垂直部分５３Ａに当接して挿入できない。
【００５６】
したがって、取り付け操作では、第１実施形態と同様に、吊上げ治具６を寝かせた姿勢で保持し、雄ねじ部６５を開空間Ｓから上方の第１スロット５５Ａの垂直部分に差し込み、吊上げ治具６の全体を挿入する。そして、雄ねじ部６５が第１スロット５５Ａの折れ曲がり部分まで進入すると、吊上げ治具６を回動して起立させながら姿勢変換操作し、第１スロット５５Ａの水平部分の最奥部まで挿入する。次に、ナット部材６７を螺進させ、吊上げ部６１との間に板材水平部分５２Ａ及び上縁鍔部４１１Ａを挟持する。このとき、第１実施形態と同様に、回動抑止部５８Ａを利用する。これにより、吊上げ治具６が最終的な吊上げ姿勢に保持され、ケース本体２の吊上げ作業を行うことができる。
【００５７】
なお、ナット部材６７の螺進を省略してよい点も同様である。また、第２実施形態では、吊上げ治具６の首下部６４を必要とせず、雄ねじ部６５が直接的に吊上げ部６２に結合されていてもよい。
【００５８】
第３実施形態の治具取付部５Ｂは、図９に示されるように、上縁鍔部４１１Ｂの折り曲げ部分に直接的に形成されている。詳述すると、サイドブラケット４１を形成するケース板材の上縁鍔部４１１Ｂから板材垂直部分５３Ｂにかけて折れ曲がりながら延在するように、溝幅Ｗ１Ｂの第１スロット５５Ｂが形成されている。第１スロット５５Ｂの垂直部分を形成する板材垂直部分５３Ｂの両縁５３５、５３６は、回動抑止部５８Ｂを兼ねている。さらに、第１スロット５５Ｂの垂直部分の下端に連なるように、溝幅Ｗ２Ｂの矩形状の第２スロット５６Ｂが形成されている。治具取付部５Ｂは、本発明の抜け止め溝に相当する第１スロット５５Ｂ及び第２スロット５６Ｂで形成されている。
【００５９】
第１スロット５５Ｂの溝幅Ｗ１Ｂは一定であり、吊上げ治具６の雄ねじ部６５の外径Ｄ７よりも狭く、かつ首下部６４の外径Ｄ６よりも広い（Ｄ７＞Ｗ１Ｂ＞Ｄ６）。また、第１スロット５５Ｂの垂直部分の長さＬＶＢは、軸部６３の長さＬ５よりも小さい（ＬＶＢ＜Ｌ５）。第２スロット５６Ｂの溝幅Ｗ２Ｂは一定であり、第１スロット５５Ｂの溝幅Ｗ１Ｂよりも広く、かつ、ナット部材６７の外径Ｄ８よりも広い（Ｗ２Ｂ＞Ｗ１Ｂ、Ｗ２Ｂ＞Ｄ８）。上述した各部寸法の大小関係から分かるように、第３実施形態では、吊上げ治具６の首下部６４のみが第１スロット５５Ｂへの進入を許される。
【００６０】
したがって、取り付け操作では、第１実施形態と同様に、吊上げ治具６を寝かせた姿勢で保持し、第２スロット５６Ｂに向けて水平に差し込み、吊上げ治具６の首下部６４を第１スロット５５Ｂの垂直部分の真下に配置する。次に、首下部６４を第１スロット５５Ｂの垂直部分に挿入し、吊上げ治具６の全体を上方に挿入する。そして、首下部６４が第１スロット５５Ｂの折れ曲がり部分まで進入すると、吊上げ治具６を回動して起立させながら姿勢変換操作し、第１スロット５５Ｂの最奥部まで挿入する。次に、ナット部材６７を螺進させ、吊上げ部６１との間に上縁鍔部４１１を挟持する。このとき、第１実施形態と同様に、回動抑止部５８Ｂを利用する。これにより、吊上げ治具６が最終的な吊上げ姿勢に保持され、ケース本体２の吊上げ作業を行うことができる。なお、ナット部材６７の螺進を省略してよい点も同様である。
【００６１】
第２及び第３実施形態では、第１実施形態と同様の効果が発生し、さらに、治具取付部５Ａ、５Ｂの構造が一層簡素化されて低コストで治具取付部５Ａ、５Ｂを構成できる。
【００６２】
なお、各実施形態における治具取付部５、５Ａ、５Ｂの配設位置は、サイドブラケット４１の上縁鍔部４１１、４１１Ａ，４１１Ｂの中央付近に限定されず、ケース本体２を吊り上げ可能な他の位置であってもよい。また、第１スロット５５、５５Ａ、５５Ｂ及び第２スロット５６、５６Ｂの溝形状も変形可能である。本発明は、その他にも様々な応用や変形が可能である。
【符号の説明】
【００６３】
１：シャッタ装置
２：ケース本体    ２１：ケースカバー
３１、３２：サイドキャップ
４１、４２：サイドブラケット    ４１１：上縁鍔部    ４１３：後縁鍔部
５、５Ａ、５Ｂ：治具取付部    ５１、５１Ａ：抜け止め係止部
５２、５２Ａ：板材水平部分    ５３、５３Ａ、５３Ｂ：板材垂直部分
５４：抜け止め穴    ５５、５５Ａ、５５Ｂ：第１スロット（抜け止め溝）
５６、５６Ｂ：第２スロット    ５８、５８Ａ、５８Ｂ：回動抑止部
６：吊上げ治具
６１：アイボルト    ６２：吊上げ部    ６３：軸部
６４：首下部    ６５：雄ねじ部    ６７：ナット部材：
９１：ガイドレール    ９２：シャッタケース    ９６：シャッタカーテン
Ｗ１、Ｗ２、Ｗ３、Ｗ１Ａ、Ｗ１Ｂ、Ｗ２Ｂ：溝幅
ＬＶ：第１スロットの垂直部分の長さ
Ｌ５：軸部の長さ    Ｄ５：吊上げ部の外径    Ｄ６：首下部の外径
Ｄ７：雄ねじ部の外径    Ｄ８：ナット部材の外径
Ｓ：開空間
【図１】
2014145168.tif 000003
【図２】
2014145168.tif 000004
【図３】
2014145168.tif 000005
【図４】
2014145168.tif 000006
【図５】
2014145168.tif 000007
【図６】
2014145168.tif 000008
【図７】
2014145168.tif 000009
【図８】
2014145168.tif 000010
【図９】
2014145168.tif 000011